(57)【特許請求の範囲】
【請求項１】
底壁と、該底壁の両側に立設された側壁とを有し、これらの底壁および側壁によって形成された樋状の収納スペースにワイヤハーネスを収納するプロテクタであって、
前記側壁の少なくとも一部が、外壁と、該外壁に対向する内壁と、の２重構造であり、
前記外壁および前記内壁間に形成される溝部は、ワイヤハーネス製造治具のフォークが係合可能な形状、サイズであることを特徴とするプロテクタ。
【請求項２】
前記底壁および前記側壁によって形成される収納スペースは、前記ワイヤハーネスに倣った形態をなすことを特徴とする請求項１記載のプロテクタ。
【請求項３】
前記外壁および前記内壁には、該外壁および該内壁に作用する外力に対して補強する湾曲部が設けられていることを特徴とする請求項１または２記載のプロテクタ。
【請求項４】
前記外壁および前記内壁が、天壁を介して連設され、
前記天壁には、該天壁に作用する外力に対し補強する湾曲部が設けられていることを特徴とする請求項１から３のいずれか一項に記載のプロテクタ。
【請求項５】
前記外壁の下縁には、該外壁に対して交差する方向に延びる補強フランジが設けられていることを特徴とする請求項１から４のいずれか一項に記載のプロテクタ。
【請求項６】
前記底壁には、該底壁に作用する外力に対し補強する湾曲部が設けられていることを特徴とする請求項１から５のいずれか一項に記載のプロテクタ。
【発明の詳細な説明】
【技術分野】
【０００１】
本発明は、自動車に配索されるワイヤハーネスを保護するプロテクタに関するものである。
【背景技術】
【０００２】
自動車は、様々な機能実現のために高度の電子制御が要求される。また、この電子制御を実現するために、車体には、ＣＰＵ等の制御部、各種のセンサ、モータ等の駆動部、等が多数車体に設置される。従って、制御部、各種センサ、モータ、等の電気接続に多数本の電線が必要になる。また、これらの電線を配索するために、端末にコネクタを接続したワイヤハーネスが用いられる。
【０００３】
ところで、ワイヤハーネスの車体への配索に際しては、このワイヤハーネスと周囲の器物との接触を回避する必要がある。このため、このワイヤハーネスを収納して保護するためのプロテクタが車体に設置される。このプロテクタは、例えば合成樹脂の射出成形によって樋形や箱形に製造される。
【０００４】
図５は、かかるプロテクタの従来例を示す。図５において、プロテクタ７は、全体としてＴ字形状をなし、プロテクタ本体７Ａに蓋７Ｂを一体に組み付けた構成である（特許文献１を参照。）。プロテクタ本体７Ａは、樋状の縦凹部７ａと、この縦凹部７ａの先端に連結され、縦凹部７ａに対してほぼ直交するように延出される樋状の一側凹部７ｂと、この縦凹部７ａの先端に連結され、縦凹部７ａに対してほぼ直交し、かつ一側凹部７ｂと反対方向に延出される樋状の他側凹部７ｃとを備えている。プロテクタ本体７Ａの縦凹部７ａの他端、すなわち一側凹部７ｂと他側凹部７ｃが連結された側とは反対側の端部、には、ワイヤハーネスＷ／Ｈをテープ固定するための固定用舌状部７ｄが設けられている。
【０００５】
また、プロテクタ本体７Ａの他側凹部７ｃには、後述するクランプ８を係止するための係止穴７ｅが、該プロテクタ本体７Ａを板厚方向に貫通するように設けられている。この係止穴７ｅは長穴形状であって、プロテクタ本体７Ａの他側凹部７ｃの長手方向にその長軸方向が向いている。この係止穴７ｅを設ける位置は、ワイヤハーネスＷ／Ｈ−２とＷ／Ｈ−３の分岐箇所の近傍である。
【０００６】
一方、プロテクタ７の蓋７Ｂは、プロテクタ本体７Ａと対応する形状であって、プロテクタ本体７Ａと蓋７Ｂは、ロック手段１０ａ、１０ｂにより一体に組付け可能になっている。
【０００７】
ワイヤハーネスＷ／Ｈ−２とＷ／Ｈ−３の分岐部の近傍に、図６に示すようなクランプ８が取り付ける。このクランプ８は、細長い帯状で可撓性を有するバンド部８ａと、このバンド部８ａを挿入して所要の締付位置で係止する基部８ｂを備えている。また、基部８ｂの上方側には丸棒状の軸部８ｃが突設され、この軸部８ｃの先端部分には上記係止穴７ｅに差込係止するための係止部８ｄが設けられている。
【０００８】
前記構成のプロテクタ７では、プロテクタ本体７Ａの縦凹部７ａにワイヤハーネスＷ／Ｈを収容する。一方、一側凹部７ｂにワイヤハーネスＷ／Ｈ−１を、他側凹部７ｃにワイヤハーネスＷ／Ｈ−２を、ワイヤハーネスＷ／Ｈを分岐して収容する。また、他側凹部７ｃでは、ワイヤハーネスＷ／Ｈ−２をさらにワイヤハーネスＷ／Ｈ−３に分岐させる。そして、縦凹部７ａに収容されたワイヤハーネスＷ／Ｈを、縦凹部７ａの固定用舌状部７ｄに粘着テープ３で固定する。さらに、ワイヤハーネスＷ／Ｈ−１とＷ／Ｈ−２の分岐部の近傍を結束具（図示しない）で結束する。
【０００９】
次に、ワイヤハーネスＷ／Ｈ−２とワイヤハーネスＷ／Ｈ−３との分岐部近傍にクランプ８を取り付ける。具体的には、クランプ８のバンド部８ａを前記分岐部近傍のワイヤハーネスＷ／Ｈに巻き付けた後、基部８ｂにバンド部８ａを挿入して締付け固定する。この状態で係止部８ｄを上記プロテクタ本体７Ａの係止穴７ｅに挿入して差込係止する。このように、クランプ９の係止部８ｄを係止穴７ｅに差し込むだけで、ワイヤハーネスＷ／Ｈ−２とＷ／Ｈ−３の分岐部の直前がプロテクタ本体７Ａにワンタッチで固定することができる。
【先行技術文献】
【特許文献】
【００１０】
【特許文献１】特開平９‐１２１４２２号公報
【発明の概要】
【発明が解決しようとする課題】
【００１１】
上述した従来のプロテクタは、解決すべき以下の問題を有している。
即ち、ワイヤハーネスＷ／Ｈを保持したクランプ８を係止させる係止穴７ｅが、プロテクタ本体７Ａまたは蓋７Ｂの所要箇所に必要になる。このため、ワイヤハーネスＷ／Ｈの配索形態に合ったプロテクタ本体７Ａや蓋７Ｂ上の所定位置に、１個または複数個の前記係止穴７ｅを穿設する必要がある。係止穴７ｅの設置によってプロテクタ本体７Ａや蓋７Ｂの強度が低下し外力を受けて撓み変形する虞がある。このため、プロテクタに穿設される穴の数はできる限り少ないことが好ましい。
【００１２】
さらに、プロテクタ７をワイヤハーネスＷ／Ｈに組付ける作業をするにあたっては、治具図板の治具を貫通孔７ｆに挿通して、プロテクタ本体７Ａを治具にセットする（特許文献の図３参照。）。このため、プロテクタ本体７Ａには、上述した係止穴７ｅ以外に貫通孔７ｆが形成される。この結果、プロテクタ本体７Ａや蓋７Ｂの強度が一層低下する虞がある。
【００１３】
本発明は、上述した事情に鑑みてなされたものであり、その目的は、プロテクタに穴を設ける必要を低減させて、プロテクタの強度低下を回避するとともに、周辺の器物等からの干渉を受けても変形せず、さらにハーネスプロテクタを簡単かつ安全に収納スペースに保持させることがきることがきるプロテクタを提供することにある。
【課題を解決するための手段】
【００１４】
前述した目的を達成するために、本発明に係るプロテクタは、下記（１）〜（６）を特徴としている。
（１）  底壁と、該底壁の両側に立設された側壁とを有し、これらの底壁および側壁によって形成された樋状の収納スペースにワイヤハーネスを収納するプロテクタであって、
記側壁の少なくとも一部が、外壁と、該外壁に対向する内壁と、の２重構造であり、
前記外壁および前記内壁間に形成される溝部は、ワイヤハーネス製造治具のフォークが係合可能な形状、サイズであること。
（２）  上記（１）の構成のプロテクタであって、
前記底壁および前記側壁によって形成される収納スペースは、前記ワイヤハ−ネスに倣った形態をなすこと。
（３）  上記（１）または（２）の構成のプロテクタであって、
前記外壁および前記内壁には、該外壁および該内壁に作用する外力に対して補強する湾曲部が設けられていること。
（４）  上記（１）から（３）のいずれか一つの構成のプロテクタであって、
前記外壁および前記内壁が、天壁を介して連設され、
前記天壁には、該天壁に作用する外力に対し補強する湾曲部が設けられていること。
（５）  上記（１）から（４）のいずれか一つの構成のプロテクタであって、
前記外壁の下縁には、該外壁に対して交差する方向に延びる補強フランジが設けられていること。
（６）  上記（１）から（５）のいずれか一つの構成のプロテクタであって、
前記底壁には、該底壁に作用する外力に対し補強する湾曲部が設けられていること。
【００１５】
上記（１）の構成によれば、側壁は外壁と内壁の２重構成部分によって強度が高められる。このため、ワイヤハーネスの組付け作業時等に外力或いは周辺部品からの干渉を受けることによってもハーネスプロテクが変形することはなく、各側壁間に設置されたワイヤハーネスが損傷しないように保護することができる。また、可撓性樹脂の成形品である外壁および内壁はそれぞれ弾性を持つため、プロテクタを各側壁の内壁間に簡単かつ安全に保持させることがきる。
加えて、前記フォークを前記溝部に係合することで、プロテクタをフォーク上に容易に支持させることができ、続くワイヤハーネスの組み付け作業をスムースかつ効率的に進めることができる。さらに、治具板上に配索する際にフォークに挿通される、プロテクタの板厚方向に貫通する孔を設ける必要がないため、その孔が不要になった分、プロテクタの強度が高まる。
上記（２）の構成によれば、前記ワイヤハーネスを各側壁間に押し込むように底壁上に設置する操作だけで、このワイヤハーネスを各側壁間および底壁上に適度な摩擦を持つように保持させることができる。
上記（３）の構成によれば、側壁に作用する外力によって側壁が挫屈変形しないように補強できる。
上記（４）の構成によれば、側壁の厚み方向に受ける外力によって、この側壁の外壁および内壁がその側壁の厚み方向に潰れないように補強できる。
上記（５）の構成によれば、前記側壁と底壁および前記フランジ片とが連続する部位を中心として、側壁が倒れる方向に変形しないように補強できる。
上記（６）の構成によれば、ワイヤハーネスが比較的重量であっても、前記底板上にこのワイハーネスを安定的に支持でき、また各側壁とともに適度な摩擦接触をワイヤハーネスとの間に維持し、ワイヤハーネスの保持を安定に維持できる。
【発明の効果】
【００１６】
本発明によれば、収納スペースを画成する各側壁は外壁と内壁との２重構造であるため、側壁の強度が高められる。また、外壁および内壁自体が持つ弾性（反発力）を利用でき、各側壁間に押し込まれたワイヤハーネスを安定保持することができる。さらに、治具板上に配索する際にフォークに挿通される、プロテクタの板厚方向に貫通する孔を設ける必要がないため、その孔が不要になった分、プロテクタの強度が高まる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の実施形態にかかるプロテクタを示す斜視図である。
【図２】図２は、図１に示すプロテクタの下面斜視図である。
【図３】図３は、図１中のプロテクタの一部を概念的に示すＡ‐Ａ断面図である。
【図４】図４は、図１中のプロテクタにワイヤハーネスを収納した状態を示す斜視図である。
【図５】図５は、従来のプロテクタを示す斜視図である。
【図６】図６は、図５におけるプロテクタの一部を拡大して示す断面図である。
【発明を実施するための形態】
【００１９】
以下、本発明の一実施形態にかかるプロテクタを、図１乃至図４を参照して説明する。
【００２０】
図１において、プロテクタ１１は自動車の電装回路に用いられるワイヤハーネスＷＨを保護するものである。このプロテクタ１１は、ワイヤハーネスＷＨの配索に際し、ワイヤハーネスＷＨの周辺の器物との干渉防止、ワイヤハーネスＷＨ自体の汚損防止、車体への取り付け容易化の各機能を持つ。プロテクタ１１は、例えばポリプロピレンなどの熱可塑性樹脂の成形によって、ワイヤハーネスＷＨの収納および保持が可能な形態、サイズに作られる。
【００２１】
一方、このワイヤハーネスＷＨは、図４に示すように複数本の導体（電線）を束ねた幹線２７ａと、この幹線２７ａの途中で２本に分岐された分岐線２７ｂ、２７ｃとからなる。これらの分岐線２７ｂ、２７ｃもまた複数本の電線を束ねたものである。幹線２７ａおよび分岐線２７ｂ、２７ｃそれぞれの外周には絶縁性の粘着テープや熱収縮チューブが被覆される。このワイヤハーネスＷＨは僅かではあるが曲げ操作が可能な硬さを持つ。従って、この曲げ操作によってワイヤハーネスＷＨを所定曲げ形状に整えることができる。この結果、ワイヤハーネスＷＨは、プロテクタ１１の収納スペース１５に沿うように（倣うように）設置可能になる。なお、このプロテクタ１１の収納スペース１５は、ワイヤハーネスＷＨの幹線２７ａと２本の分岐線２７ｂ、２７ｃとを収納および保持可能な形態、サイズを持つ。
【００２２】
次に本発明の一実施形態にかかるプロテクタの構造を詳細に説明する。プロテクタ１１は、底壁１２と、この底壁１２の両側に立設された側壁１３、１４とを有する。ワイヤハーネスＷＨは、これらの底壁１２および側壁１３、１４によって形成された樋状の前記収納スペース１５内に、図４に示すように収納される。前記側壁１３、１４は互いに水平方向に対向し、底壁１２とともに、幹線路Ｘとこの幹線路Ｘから分岐された２本の分岐路Ｙ、Ｚとを形成している。この幹線路Ｘおよび分岐路Ｙ、ＺはワイヤハーネスＷＨの前記収納スペース１５に対応する。なお、これらの幹線路Ｘおよび分岐路Ｙ、Ｚは、上方に開放されている。
【００２３】
分岐路Ｙ、Ｚは、対向する側壁１３、１４と、これらの側壁１３、１４間に設けられた分岐壁１６とによって隔成されている。幹線路Ｘの端部（図１中左方に位置する端部）および分岐路Ｙ、Ｚの端部（図１中右方に位置する端部）は、収納スペース１５に収納されたワイヤハーネスＷＨの長手方向にそれぞれ開放されている。側壁１３、１４は、前述のような収納スペース１５に収容されたワイヤハーネスＷＨを所定の摩擦力で保持可能な間隔を保って、対向配置されている。
【００２４】
また、側壁１３、１４はワイヤハーネスＷＨの形状に倣った形態、具体的には図示のように、緩くＳ字状にうねる形態に整形されている。ワイヤハーネスＷＨは前述のとおり複数本の電線を束ねたものである。このワイヤハーネスＷＨは前述のように手作業等でその曲げ形状を調整することができる。この曲げ形状の調整によってワイヤハーネスＷＨをプロテクタ１１の収納スペース１５内に簡単、容易に挿入でき、側壁１３、１４相互の挟圧力によってその挿入状態を保持させることができる。
【００２５】
底壁１２の上面は、全体に略平坦であるが、幹線路Ｘおよび分岐路Ｙ、Ｚの各端部に向かって僅かに傾斜する複数の傾斜面Ｋを有する。この底壁１２には、これの幅方向に複数本の長細い湾曲部としての凹状部１７が一体に設けられている。凹状部１７は底壁１２を隆起するように形成された凸部であり、凹状部１７は底壁１２を穿つように形成された凹部である。これらの凹状部１７は、底壁１２に作用する外力によって底壁１２が変形するのを防止する。
【００２６】
側壁１３、１４は、所定の厚みを有し、その側壁１３、１４の外側面、内側面および天部面から構成される。側壁１３、１４の内側面とは、側壁１３、１４における収納スペース１５に向かい合う面であり、側壁１３、１４の外側面とは、側壁１３、１４における収納スペース１５に向かい合わない面であり、側壁１３、１４の天部面とは、側壁１３、１４における該側壁１３、１４が立設する上方向に位置する面である。外側面、内側面および天部面には、それぞれの面に穿設され、該面が延設された方向に延びる凹状部１８が形成されている。側壁１４の一端部には、この側壁１４とともに矩形枠を形成するコ字状壁１９が連設されている。このコ字状壁１９で囲まれた領域の底部は、前記底壁１２とほぼ同一面上に位置する底壁１２ａとなっている。なお、このコ字状壁１９の内側面には、該内側面を隆起するように形成された、上下方向に延びる、複数本の長細い湾曲部としての突条２０が設けられている。コ字状壁１９の内側面とは、矩形枠に囲まれる空間に向かい合う面である。また、コ字状壁１９の外側面には、上下方向に延びる複数本の長細い湾曲部としての凹状部２１が設けられている。コ字状壁１９の外側面とは、矩形枠に囲まれる空間に向かい合わない面である。凹状部１７、凹状部１８、２１は各壁１２、１３、１４、１９の形状、サイズに応じた厚み、形態とされている。
【００２７】
底壁１２には、この底壁１２の一端と分岐壁１６の近傍に、ワイヤハーネスＷＨを保持したクランプ（図示せず。）を係止させる取り付け孔２２、２３が形成されている。取り付け孔２２は長円形であり、取り付け孔２３は円形である。長円の取り付け孔２２は、これに通されたクランプに対し、プロテクタ１１の位置をその取り付け孔２３の長手方向に微調整可能にする。
【００２８】
側壁１３、１４は、図２および図３に示すような溝部２４、２５を持つ。これらのうち側壁１３は溝部２４を介在する外壁１３ａおよび内壁１３ｂと、これらの外壁１３ａおよび内壁１３ｂの端部を架橋する狭幅の天壁１３ｃとからなる。側壁１４は、溝部２５を介在する外壁１４ａおよび内壁１４ｂと、これらの外壁１４ａと内壁１４ｂの端部を架橋する狭幅の天壁１４ｃとからなる。このように構成された外壁１３ａおよび内壁１３ｂは、互いに対向する。同様に、外壁１４ａおよび内壁１４ｂもまた、互いに対向する。
【００２９】
外壁１３ａ、１４ａ、内壁１３ｂ、１４ｂおよび天壁１３ｃ、１４ｃには、前述のような複数本の凹状部１８が形成されている。このため、これらの外壁１３ａ、１４ａ、内壁１３ｂ、１４ｂおよび天壁１３ｃ、１４ｃは、各壁に作用する外力に対する強度が高められ、挫屈や変形が防止される。また、側壁１３は外壁１３ａおよび内壁１３ｂの２重構造により、また側壁１４は外壁１４ａおよび内壁１４ｂの２重構造により、それぞれ強度が高められる。また、この２重構造によって、可撓性樹脂からなる外壁１３ａ、１４ａおよび内壁１３ｂ、１４ｂには適度の弾性（反発力）が付与される。
【００３０】
そこで、側壁１３、１４間の上方からワイヤハーネスＷＨを軽く押すようにして収納スペース１５内に収納することで、ワイヤハーネスＷＨを各側壁１３、１４の内壁１３ｂ、１４ｂ間に弾性保持させることが可能になる。従って、ワイヤハーネスＷＨは収納スペース１５内に安定保持される。
【００３１】
さらに、前記外壁１３ａおよび内壁１３ｂ間の溝部２４、前記外壁１４ａおよび内壁１４ｂ間の溝部２５は、それぞれワイヤハーネス製造治具のフォークが係合可能な形状、サイズである。治具板上にプロテクタを配索する際にこのフォークを前記溝部２４、２５に差し込むことで、プロテクタ１１を安定的に治具板上に支持できる。治具板上のフォークに溝部２４、２５を差し込むだけでプロテクタを治具板上に固定できるため、ワイヤハーネスＷＨに対するプロテクタ１１の組み付けをスムースかつ効率的に進めることができる。このように、治具板上に配索する際にフォークに挿通される、プロテクタの板厚方向に貫通する孔を、従来のプロテクタのように設ける必要がないため、その孔が不要になった分、プロテクタの強度が高まる。尚、前記溝部２４、２５は、側壁１３、１４の全長に亘って設ける以外に、側壁１３、１４の全長を区切って複数箇所に分けて設けてもよい。
【００３２】
また、プロテクタ１１の下端周縁，つまり側壁１３の外壁１３ａの下端縁および側壁１４の外壁１４ａの下端縁と、幹線路Ｘおよび分岐路Ｙ、Ｚの開口端縁には、補強フランジ２６が連設されている。この補強フランジ２６は所定の短幅であり、外方に向かって底壁１２と同一平面内に延びる。この補強フランジ２６は外壁１３ａ、１４ａおよび内壁１３ｂ、１４ｂがそれぞれ底壁１２および補強フランジ２６との結合部を中心に倒れないように支持する。この支持により、側壁１３、１４間の収納スペース１５に収納されたワイヤハーネスＷＨは変形や損傷が防止される。
【００３３】
図４は、プロテクタ１１にワイヤハーネスＷＨを収納した状態を示す。このワイヤハーネスＷＨは複数本の電線を束ねた大径の幹線２７ａを、途中で小径の２本の分岐線２７ｂ、２７ｃに分岐したものである。また、これらの幹線２７ａおよび分岐線２７ｂ、２７ｃは、周囲にハーネス用テープ（粘着テープ）や熱収縮チューブなどが被覆される。これらの幹線２７ａおよび分岐線２７ｂ、２７ｃを有するワイヤハーネスＷＨは、手操作で僅かに撓ませる程度の硬さを持つ。
【００３４】
このワイヤハーネスＷＨはプロテクタ１１の前記収納スペース１５の形状に略倣った形態に整えることで、この収納スペース１５内に押し込むようにして収納することができる。この場合に、プロテクタ１１の側壁１３、１４の外壁１３ａ、１４ａおよび内壁１３ｂ、１４ｂは、ワイヤハーネスＷＨの前記押し込みによって変形する。そして、この変形によって外壁１３ａ、１４ａおよび内壁１３ｂ、１４ｂに蓄えられた反発力（復元力）によって、側壁１３、１４がそのワイヤハーネスＷＨを挟圧保持する。このようにワイヤハーネスＷＨは、このプロテクタ１１に簡単かつ確実に保持される。
【００３５】
以上説明してきたように、本実施形態にかかるプロテクタは、底壁１２と、この底壁１２の両側に立設された側壁１３、１４とを有し、これらの底壁１２および側壁１３、１４によって形成された樋状の収納スペース１５にワイヤハーネスＷＨを収納するプロテクタ１１であって、前記側壁１３、１４の少なくとも一部を外壁１３ａ、１４ａと、その外壁１３ａ、１４ａに対向する内壁１３ｂ、１４ｂと、の２重構造にした。この構成により、側壁１３、１４がその２重構造によって強度が高められ、ワイヤハーネスＷＨの組付け作業時の外力或いは周辺部品との干渉を受けても変形することなしに、その側壁１３、１４間に配索されたワイヤハーネスＷＨを十分に安定保持および保護することができる。
【００３６】
さらに、本実施形態にかかるプロテクタによれば、治具板上に配索する際にフォークに挿通される、プロテクタの板厚方向に貫通する孔を設ける必要がないため、その孔が不要になった分、プロテクタの強度を高めることができる。
【符号の説明】
【００３７】
１１  プロテクタ
１２、１２ａ  底壁
１３、１４  側壁
１３ａ、１４ａ  外壁
１３ｂ、１４ｂ  内壁
１３ｃ、１４ｃ  天壁
１５  収納スペース
１６  分岐壁
１７  凹状部（湾曲部）
１８  凹状部（湾曲部）
１９  コ字状壁
２０  突条（湾曲部）
２１  凹状部（湾曲部）
２２、２３  取り付け孔
２４、２５  溝部
２６  補強フランジ
２７ａ  幹線
２７ｂ、２７ｃ  分岐線
ＷＨ  ワイヤハーネス
【図１】
0005894468.tif 000002
【図２】
0005894468.tif 000003
【図３】
0005894468.tif 000004
【図４】
0005894468.tif 000005
【図５】
0005894468.tif 000006
【図６】
0005894468.tif 000007